【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
キーボードを電子機器筐体に保持する電子機器へのキーボードの保持装置であって、
両面に粘着部を有し、かつ、粘着部を持たない取り外し用タグを設けたキーボード保持テープを備え、
前記キーボード保持テープの一方の面を前記電子機器筐体のキーボード保持部の一方の面に接着するとともに、当該キーボード保持テープの前記取り外し用タグを前記キーボード保持部に設けられた穴部に通した状態でそのキーボード保持テープの一方の面をさらに前記キーボード保持部の他方の面に接着し、
前記キーボードを前記キーボード保持部の一方の面に前記キーボード保持テープの他方の面の粘着部により接着し、電子機器筐体にキーボードを保持することを特徴とする電子機器へのキーボードの保持装置。
【手続補正２】
【補正対象書類名】明細書
【補正対象項目名】全文
【補正方法】変更
【補正の内容】
【発明の詳細な説明】
【発明の名称】電子機器へのキーボードの保持装置
【技術分野】
【０００１】
本発明は電子機器などに組み込まれる入力装置であるキーボードを電子機器筐体に保持するキーボードの保持装置に関するものである。
【背景技術】
【０００２】
現在、電子機器に入力装置としてキーボードが組み込まれているものが多い。
【０００３】
従来、電子機器におけるキーボードの保持は、ネジ止めにより電子機器筐体に固定する方法（例えば特許文献１）、爪により電子機器筐体に係合する方法（例えば特許文献２）などがあるが、これらは高さ方向にある程度の固定のための寸法を必要とする。しかしながら、近年は電子機器全体の薄型化が求められており、このため、ほとんど厚みのない両面テープ接着により電子機器筐体に固定する方法が取られるようになってきた。この場合、キーボードが電子機器筐体から浮き上がるのを防止するために強粘着の両面テープを用いて電子機器筐体の一部に接着固定するという方法が多く用いられている。
【０００４】
この従来技術によれば、電子機器のキーボードが浮き上がることを防止でき、電子機器全体を薄型化することができる。
【特許文献１】特開平６−４３９６８号公報
【特許文献２】特開平７−６４６７０号公報
【発明の開示】
【発明が解決しようとする課題】
【０００５】
しかしながら上記の従来の構成のように、強粘着の両面テープを用いた場合、キーボードの補修交換などの取り外し時には、キーボードや電子機器筐体を破損するなどという問題点を有していた。
【０００６】
本発明は上記従来の問題点を解決するもので、キーボードと電子機器筐体を強力に固定し、かつ、キーボードおよび電子機器筐体を破損することなく、容易にキーボードを電子機器筐体から取り外し可能にすることを目的とする。
【課題を解決するための手段】
【０００７】
この目的を達成するために本発明では、両面に粘着部を有し、かつ、粘着部を持たない取り外し用タグを設けたキーボード保持テープを備え、前記キーボード保持テープの一方の面を前記電子機器筐体のキーボード保持部の一方の面に接着するとともに、当該キーボード保持テープの前記取り外し用タグを前記キーボード保持部に設けられた穴部に通した状態でそのキーボード保持テープの一方の面をさらに前記キーボード保持部の他方の面に接着し、前記キーボードを前記キーボード保持部の一方の面に前記キーボード保持テープの他方の面の粘着部により接着し、電子機器筐体にキーボードを保持するようにしたもので、これによれば、補修時などのキーボード取り外し時にはキーボード保持テープのタグを接着面に対して略平行な方向に引っ張ることにより、電子機器筐体からキーボードを容易に取り外すことができる。
【０００８】
一般的に、両面に粘着部を有する両面テープは厚みに対して接着面の長さ、幅が大きいため、接着面に垂直な方向に比べ、水平な方向への引っ張りに対して粘着部の糊が伸びやすい。本発明は上記の両面テープの性質を利用したものである。
【０００９】
これによって本発明は、電子機器全体の薄型化を図りつつ、キーボードの補修交換などの取り外し時には、キーボードおよび電子機器筐体などのキーボード保持部を破損することなく容易にキーボードを電子機器筐体から取り外すことができる。
【発明の効果】
【００１０】
以上のように、本発明の取り外し用タグを有し、両面に粘着部を有するキーボード保持テープを用いたキーボードの保持装置は、キーボードの浮きを防止する固定方法の提供と同時に、補修時などのキーボード取り外し時には、キーボード保持部に設けられた穴部に通したタグを接着面に対して略平行方向に引っ張り、キーボード保持テープを引き抜くことにより、キーボードを電子機器筐体から容易に取り外すことができる。これはキーボードおよび電子機器筐体を破損することがなく、作業性を向上させることができるため、電子機器全体の薄型化という設計面においても、補修などのサービス面においても実用的な効果が大きい。
【発明を実施するための最良の形態】
【００１１】
以下、本発明の実施の形態について図を用いて説明する。
【００１２】
（実施の形態１）
図１は本発明の一実施の形態を示す電子機器の部分詳細図、図２は両面テープと取り外し用タグとで構成されたキーボード保持テープの平面図、側面図である。
【００１３】
図１、図２において、１１はキーボード、１２はキーボード保持テープ、１３は電子機器筐体でキーボード保持部１３ａを有する。キーボード保持テープ１２には粘着部（両面テープ部）１２ａを持たない取り外し用タグ１２ｂが備えられている。キーボード１１の接着面１１ａがキーボード保持テープ１２の粘着部１２ａを介して電子機器筐体１３のキーボード保持部１３ａに接着されて、キーボード１１が電子機器筐体１３に固定される。また、電子機器筐体１３のキーボード保持部１３ａ面にはキーボード保持テープ１２を反対面に通して保持する穴部１３ｂを複数箇所設けている。
【００１４】
以上のように構成され、キーボード１１のキーボード保持部１３ａへの取り付けと取り外し動作について、図３、図４を用いて以下に説明する。
【００１５】
図３に示すように、キーボード保持テープ１２の粘着部１２ａの一方の面を電子機器筐体１３のキーボード保持部１３ａに接着させ（ａ）、タグ１２ｂを穴部１３ｂに通して（ｂ）、キーボード保持部１３ａの反対面にさらにその一方の面を接着する（ｃ）。その後でキーボード１１を図の上方から載置して（ｄ）、キーボード保持テープ１２の粘着部１２ａの他方の面の粘着によりこのキーボード１１を電子機器筐体１３のキーボード保持部１３ａに接着し、保持する。
【００１６】
つぎに、補修時などのキーボード取り外しは、図４に示すように、指先でキーボード保持部に設けられた穴部に通した取り外し用タグ１２ｂ部分を引いてその周辺の接着部分を剥がし（ｅ）、次にタグ１２ｂを接着面１１ａに対し略平行方向（（ｆ）図矢印方向）に引っ張り、キーボード保持テープ１２を引き抜く（ｇ）。前述したように、一般的に両面テープは水平な方向への引っ張りに対して粘着部の糊が伸びやすいので破れることなく引き抜くことができる。これにより、キーボード保持テープ１２を取り除くことができるため、キーボード１１を図の上方向に引き上げることで電子機器筐体の保持部１３ａから容易に取り外すことができる（ｈ）。従って、キーボード１１をキーボード保持部１３ａからそれぞれを破損することなく取り外すことができる。
【００１７】
以上のように本実施の形態によれば、キーボードと電子機器筐体を強固に接着しつつ、取り外しが必要な際にはそれぞれを破損することなく取り外すことが可能である。
【００１８】
なお、キーボード取り外し時に、タグ１２ｂを持って接着面に対し略平行方向に引っ張ってキーボード保持テープ１２を引き抜く場合、タグ１２ｂと粘着部１２ａの接着強度を十分保てないとタグと粘着部とが剥がれてタグの機能を為さない。従って、タグと粘着部との接着部分は他の粘着部１２ａより接着力を強力にする必要があり、別の接着剤で補強することが好ましい。あるいは、図５のようにタグ１２ｂを可塑性の樹脂で構成し、図のようなプレス工具で突起部を形成して水平方向の接合強度のみを増すものとしても良い。
【産業上の利用可能性】
【００１９】
本発明のキーボードの保持装置は、電子機器全体の薄型化を図りつつ、キーボードを電子機器筐体に強力に接着でき、かつキーボードおよび電子機のキーボード保持部を破損することなく取り外すことが可能であるため、電子機器へのキーボードの保持装置として有用である。
【図面の簡単な説明】
【００２０】
【図１】本発明の実施の形態１におけるキーボードの保持装置を示す電子機器の部分詳細図
【図２】本発明の実施の形態１におけるキーボード保持テープの平面図、側面図
【図３】キーボードをキーボード保持部へ取り付ける手順を説明する図
【図４】キーボードをキーボード保持部から取り外す手順を説明する図
【図５】キーボード保持テープのタグと粘着部との接合強度を増すための説明図
【符号の説明】
【００２１】
１１  キーボード
１１ａ  接着面
１２  キーボード保持テープ
１２ａ  粘着部（両面テープ部）
１２ｂ  取り外し用タグ
１３  電子機器筐体
１３ａ  キーボード保持部
１３ｂ  筐体穴部